(57)【要約】【課題】ライブビュー画像が表示されているときに、マニュアルフォーカス調整する場合に、状況に応じてより好適な表示形態でフォーカス調整できるようにする。【解決手段】表示制御手段は、フォーカスに関する情報を示す表示アイテムがライブビュー画像に重畳して表示されることなく、撮像手段で撮像されているライブビュー画像が第１の倍率で表示されている第１の状態で、受付手段がマニュアルフォーカス操作を受け付けた第１の場合に、前記ライブビュー画像を前記第１の倍率から拡大することなく、前記表示アイテムを前記ライブビュー画像に重畳して表示する第１の表示形態と、前記ライブビュー画像を前記第１の倍率よりも大きい第２の倍率で表示する第２の表示形態と、を含む複数の表示形態のなかから、設定手段での設定状態に対応する表示形態での表示をするように制御する。【選択図】図５
2019138969.tif 000002
【特許請求の範囲】
【請求項１】
マニュアルフォーカス操作を受け付ける受付手段と、
前記マニュアルフォーカス操作に応じて所定の機能を実行するか否かを設定する設定手段と、
フォーカスに関する情報を示す表示アイテムがライブビュー画像に重畳して表示されることなく、撮像手段で撮像されているライブビュー画像が第１の倍率で表示されている第１の状態で、前記受付手段が前記マニュアルフォーカス操作を受け付けた第１の場合に、
前記ライブビュー画像を前記第１の倍率から拡大することなく、前記表示アイテムを前記ライブビュー画像に重畳して表示する第１の表示形態と、
前記ライブビュー画像を前記第１の倍率よりも大きい第２の倍率で表示する第２の表示形態と、
を含む複数の表示形態のなかから、前記設定手段での設定状態に対応する表示形態での表示をするように制御する表示制御手段と、
を有することを特徴とする表示制御装置。
【請求項２】
前記所定の機能は、前記表示アイテムを表示する表示機能であり、
前記表示制御手段は、前記第１の場合に、
前記設定手段での設定状態が、前記表示機能を実行する設定状態であった場合、前記第１の表示形態での表示を行い、
前記設定手段での設定状態が、前記表示機能を実行しない設定状態であった場合、前記第２の表示形態での表示を行う
ように制御することを特徴とする請求項１に記載の表示制御装置。
【請求項３】
前記所定の機能は、前記ライブビュー画像を拡大する拡大機能であり、
前記表示制御手段は、前記第１の場合に、
前記設定手段での設定状態が、前記拡大機能を実行する設定状態であった場合、前記第２の表示形態での表示を行い、
前記設定手段での設定状態が、前記拡大機能を実行しない設定状態であった場合、前記第１の表示形態での表示を行う
ように制御することを特徴とする請求項１に記載の表示制御装置。
【請求項４】
前記複数の表示形態は、前記ライブビュー画像を拡大せず、かつ、前記ライブビュー画像に重畳して前記表示アイテムを表示しない第３の表示形態を含み、
前記設定手段は、前記ライブビュー画像を拡大する拡大機能を実行するか否かの設定、及び前記表示アイテムを表示する表示機能を実行するか否かの設定が可能であり、
前記表示制御手段は、前記第１の場合に、
前記設定手段での設定状態が、前記拡大機能を実行しない設定状態、かつ、前記表示機能を実行する設定状態であった場合、前記第１の表示形態での表示を行い、
前記設定手段での設定状態が、前記拡大機能を実行する設定状態であった場合、前記第２の表示形態での表示を行い、
前記設定手段での設定状態が、前記拡大機能を実行しない設定状態、かつ、前記表示機能を実行しない設定状態であった場合、前記第３の表示形態での表示を行う
ように制御することを特徴とする請求項１に記載の表示制御装置。
【請求項５】
前記表示制御手段は、前記第２の表示形態での表示をする場合には、前記表示機能の設定状態に関わらず前記表示アイテムを表示させない
ことを特徴とする請求項２または４に記載の表示制御装置。
【請求項６】
前記第１の状態は、オートフォーカス動作の実行後であることを特徴とする請求項１乃
至５のいずれか１項に記載の表示制御装置。
【請求項７】
前記表示制御手段は、前記第１の場合に前記１の表示形態での表示を行う場合は、オートフォーカスの結果として表示された合焦したか否かを示す表示要素に代えて、前記表示アイテムを表示するように制御することを特徴とする請求項６に記載の表示制御装置。
【請求項８】
前記表示アイテムは、前記ライブビュー画像における前記表示アイテムが重畳された位置の被写体についてフォーカスに関する情報を表示する
ことを特徴とする請求項１乃至７のいずれか１項に記載の表示制御装置。
【請求項９】
前記表示アイテムは、合焦度合いを示す表示アイテムである
ことを特徴とする請求項１乃至８のいずれか１項に記載の表示制御装置。
【請求項１０】
前記表示アイテムは、デフォーカス量に基づいて合焦度合いを示す表示アイテムであり、合焦してない場合に、合焦からどの程度焦点がずれているかを示すことを特徴とする請求項１乃至８のいずれか１項に記載の表示制御装置。
【請求項１１】
表示制御装置の制御方法であって、
マニュアルフォーカス操作を受け付ける受付ステップと、
前記マニュアルフォーカス操作に応じて所定の機能を実行するか否かを設定する設定ステップと、
フォーカスに関する情報を示す表示アイテムがライブビュー画像に重畳して表示されることなく、撮像手段で撮像されているライブビュー画像が第１の倍率で表示されている第１の状態で、前記受付ステップで前記マニュアルフォーカス操作を受け付けた第１の場合に、
前記ライブビュー画像を前記第１の倍率から拡大することなく、前記表示アイテムを前記ライブビュー画像に重畳して表示する第１の表示形態と、
前記ライブビュー画像を前記第１の倍率よりも大きい第２の倍率で表示する第２の表示形態と、
を含む複数の表示形態のなかから、前記設定ステップでの設定状態に対応する表示形態での表示をするように制御する表示制御ステップと、
を有することを特徴とする表示制御装置の制御方法。
【請求項１２】
コンピュータを、請求項１乃至１０のいずれか１項に記載された表示制御装置の各手段として機能させるためのプログラム。
【請求項１３】
コンピュータを、請求項１乃至１０のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置及びその制御方法に関するものである。
【背景技術】
【０００２】
測距センサや複数の撮像センサによって被写体のフォーカス評価値を算出し、この評価値に基づいて、撮像されている被写体の前ピン・後ピン状態やピントのずれ具合を表示する表示装置が提案されている。このような表示機能はフォーカスガイド機能と呼ばれる。
特許文献１では、次のような提案がなされている。すなわち、マニュアルフォーカス時、フォーカスリングが操作されている間、ライブビュー画像の一部分が拡大表示され、絞りが開放の状態に維持され、ユーザは、拡大された画像を参照し、被写界深度が浅い状態で、フォーカスを調整することが提案されている。
特許文献２では、ライブビュー画像を表示するとともに、ライブビュー画像に重畳して、フォーカス調整の対象とすべき被写体が表示されている位置に合焦度合いを示す表示アイテムを表示することが提案されている。
【先行技術文献】
【特許文献】
【０００３】
【特許文献１】特開２００６−０５４５３６号公報
【特許文献２】特開２０１６−１９７１８０号公報
【発明の概要】
【発明が解決しようとする課題】
【０００４】
しかしながら、特許文献１では、ライブビュー画像を拡大表示するため、全体の構図を確認しながらフォーカス調整することができない。また、絞りを開放状態とするため、撮影時の絞りとは異なる画像を確認しながらのフォーカス調整になってしまう。
特許文献２では、ライブビュー画像を拡大キーの操作により拡大表示した場合に、フォーカスガイド表示をしない場合やする場合について提案されているものの、マニュアルフォーカス操作に応じてライブビュー画像を拡大することについては言及されていない。そのため、マニュアルフォーカス操作に応じて自動的に拡大したライブビュー画像でピントの合い具合を確認しながらマニュアルフォーカス操作することができない。
【０００５】
本発明は、ライブビュー画像が表示されているときに、マニュアルフォーカス調整する場合に、状況に応じてより好適な表示形態でフォーカス調整できるようにすることを目的とする。
【課題を解決するための手段】
【０００６】
上記目的を達成するために本発明にあっては、
マニュアルフォーカス操作を受け付ける受付手段と、
前記マニュアルフォーカス操作に応じて所定の機能を実行するか否かを設定する設定手段と、
フォーカスに関する情報を示す表示アイテムがライブビュー画像に重畳して表示されることなく、撮像手段で撮像されているライブビュー画像が第１の倍率で表示されている第１の状態で、前記受付手段が前記マニュアルフォーカス操作を受け付けた第１の場合に、
前記ライブビュー画像を前記第１の倍率から拡大することなく、前記表示アイテムを前記ライブビュー画像に重畳して表示する第１の表示形態と、
前記ライブビュー画像を前記第１の倍率よりも大きい第２の倍率で表示する第２の表示形態と、
を含む複数の表示形態のなかから、前記設定手段での設定状態に対応する表示形態での表示をするように制御する表示制御手段と、
を有することを特徴とする。
【発明の効果】
【０００７】
本発明によれば、ライブビュー画像が表示されているときに、マニュアルフォーカス調整する場合に、状況に応じてより好適な表示形態でフォーカス調整できるようにすることが可能となる。
【図面の簡単な説明】
【０００８】
【図１】実施形態における撮像システムの概略構成を示すブロック図
【図２】実施形態における撮像素子の画素配列の概略図
【図３】実施形態におけるフォーカスガイド表示の一例を示す図
【図４】フォーカスガイド表示処理に関するフローチャート
【図５】実施例１における撮影モード処理に関するフローチャート
【図６】実施例１におけるライブビュー画像の表示例を示す図
【図７】実施例２における撮影モード処理に関するフローチャート
【図８】実施例２におけるライブビュー画像の表示例を示す図
【発明を実施するための形態】
【０００９】
以下に、本発明の好ましい実施の形態を、添付の図面に基づいて詳細に説明する。
＜撮像システムの構成＞
図１は、本発明の実施形態に係る表示制御装置の一例としての、フォーカスガイド機能を備える撮像システムの概略構成を示すブロック図である。なお、本実施形態では、レンズ交換可能な撮像システムとして説明するが、固定レンズを有する撮像装置であってもよい。
図１に示すように、本実施形態における撮像システムは、レンズユニット１００とカメラ本体１１０から構成されている。そして、レンズユニット１００全体の動作を統括制御するレンズ制御部１０６と、撮像システム全体の動作を統括するカメラ制御部１１７がデータを通信している。
【００１０】
まず、レンズユニット１００の構成について説明する。
レンズユニット１００は、固定レンズ１０１、絞り１０２、フォーカスレンズ１０３、ズームレンズ（不図示）等により構成される撮像光学系を有する。絞り１０２は、絞り駆動部１０４によって駆動され、後述する撮像素子１１１への入射光量を制御する。フォーカスレンズ１０３は、フォーカスレンズ駆動部１０５によって駆動され、焦点調節に用いられる。不図示のズームレンズは、ズームレンズ駆動部によって駆動されることにより、ズームの調節に用いられる。なお、本実施形態においては、ズームレンズ及びズームレンズ駆動部は必須の構成ではなく、無くても構わない。
【００１１】
絞り駆動部１０４、フォーカスレンズ駆動部１０５、ズームレンズ駆動部は、レンズ制御部１０６によって制御され、絞り１０２の開口径や、フォーカスレンズ１０３及びズームレンズの位置が制御される。ユーザによりレンズ操作部１０７に備えられたフォーカスリングやズームリング等の操作により、フォーカスやズームなどの操作が行われた場合には、レンズ制御部１０６がユーザ操作に応じた制御を行う。なお、本実施形態でのフォーカスリングは、電子的な信号を発するロータリーエンコーダーであり、回転操作に応じてパルス信号が発生し、このパルス信号が後述するカメラ制御部１１７に送信される。カメラ制御部１１７はフォーカスリングから受信したパルス信号に基づいてレンズ制御部にフォーカスレンズの駆動制御信号を送信する。レンズ制御部１０６は、カメラ制御部１１７から受信した制御命令や制御情報に応じて、絞り駆動部１０４やフォーカスレンズ駆動部
１０５、ズームレンズ駆動部の制御を行うと共に、レンズ情報をカメラ制御部１１７に送信する。フォーカスレンズ駆動部１０５は、モーターなどの駆動部、アクチュエータ等により、レンズを駆動する。なお、マニュアルフォーカス操作（ＭＦ操作）を受け付ける操作部材は、レンズ操作部１０７に備えられたフォーカスリングに限るものではなく、他の操作部材で受け付けることも可能である。例えば、カメラ本体１１０に備えられた電子ダイヤルや、上下左右の４方向キーなどに対する操作に応じて、カメラ制御部１１７がレンズ制御部１０６にフォーカスレンズの駆動制御信号を送信することによって、ＭＦ操作ができるようにしても良い。
【００１２】
次に、本実施形態に係るフォーカスガイド機能を備えるカメラ本体１１０の構成について説明する。
カメラ本体１１０において、撮像素子１１１は、ＣＣＤやＣＭＯＳセンサにより構成され、レンズユニット１００の撮像光学系を通過した光束が、撮像素子１１１の受光面上に結像される。そして、形成された被写体像が、撮像素子１１１のフォトダイオード（光電変換部）によって入射光量に応じた電荷に光電変換され、蓄積される。各フォトダイオードに蓄積された電荷は、カメラ制御部１１７の指令に従ってタイミングジェネレータ１１９から与えられる駆動パルスに基づいて、電荷に応じた電圧信号として撮像素子１１１から順次読み出される。なお、撮像素子１１１の詳細な構成については後述するが、本実施形態における撮像素子１１１は、通常の撮像信号の他に、位相差方式の焦点検出に用いることのできる一対のフォーカス用信号を出力することができる。
【００１３】
撮像素子１１１から読み出された撮像信号及びフォーカス用信号は、ＣＤＳ／ＡＧＣ回路１１２に入力され、リセットノイズを除去する為の相関二重サンプリング、ゲインの調節、信号のデジタル化が行われる。ＣＤＳ／ＡＧＣ回路１１２は、処理した撮像信号をカメラ信号処理部１１３に、フォーカス用信号をフォーカス信号処理部１１４に出力する。カメラ信号処理部１１３は、ＣＤＳ／ＡＧＣ回路１１２から出力された撮像信号に対して各種の画像処理を施して、映像信号を生成する。表示部１１５は、ＬＣＤや有機ＥＬ等の表示デバイスであり、カメラ信号処理部１１３から出力された映像信号に基づく画像を表示する。また、撮像信号の記録を行う記録モード時には、撮像信号はカメラ信号処理部１１３から記録部１１６に送られ、光ディスク、半導体メモリ（メモリーカード）、磁気テープ等の記録媒体に記録される。
【００１４】
フォーカス信号処理部１１４は、ＣＤＳ／ＡＧＣ回路１１２から出力された一対のフォーカス用信号を基に相関演算を行って焦点状態を検出する。ここでは、相関量、デフォーカス量、信頼性情報（二像一致度、二像急峻度、コントラスト情報、飽和情報、キズ情報等）を算出する。そして、算出したデフォーカス量と信頼性情報をカメラ制御部１１７へ出力する。また、カメラ制御部１１７は、取得したデフォーカス量や信頼性情報を基に、これらを算出する設定の変更をフォーカス信号処理部１１４に通知する。
【００１５】
カメラ制御部１１７は、カメラ本体１１０内の各構成と情報をやり取りして制御を行う。また、カメラ本体１１０内の処理だけでなく、ユーザによる操作を受付け、ユーザにより操作されたカメラ操作部１１８からの入力に応じて、電源のＯＮ／ＯＦＦ、設定の変更、記録を制御する。また、カメラ制御部１１７は、マニュアルフォーカス操作に応じて所定の機能を実行するか否かを設定する。所定の機能には、フォーカスガイドを表示する表示機能およびライブビュー画像を拡大する拡大機能が含まれる。ここで、ライブビュー画像とは、撮像素子１１１で撮像され、カメラ信号処理部１１３でライブビュー用の画像処理を施された撮像画像であり、所定のフレームレートで逐次更新される画像のことである。更に、オートフォーカス（ＡＦ）／マニュアルフォーカス（ＭＦ）制御の切り替え、記録映像の確認等のユーザ操作に応じた様々な機能を実行する。また、上述したようにレンズユニット１００内のレンズ制御部１０６と情報をやり取りし、撮像光学系の制御命令や
制御情報を送信し、レンズユニット１００内の情報を取得する。
カメラ制御部１１７は、不揮発性メモリ１２０に記録されたプログラムを実行することで、後述する本実施形態の各処理を実現する。システムメモリ１２１は例えばＲＡＭであり、カメラ制御部１１７は、カメラ制御部１１７の動作用の定数、変数、不揮発性メモリ１２０から読み出したプログラム等をシステムメモリ１２１に展開する。
不揮発性メモリ１２０は、電気的に消去・記録可能なメモリであり、例えばＥＥＰＲＯＭ等が用いられる。不揮発性メモリ１２０には、カメラ制御部１１７の動作用の定数、プログラム等が記憶（格納）される。ここでいう、プログラムとは、本実施形態にて後述する各種フローチャートを実行するためのプログラムのことである。
【００１６】
＜撮像素子の構成＞
図２は、本実施形態における撮像素子１１１の画素配列の概略を示す図である。
図２は、本実施形態で撮像素子１１１として用いられる２次元ＣＭＯＳセンサの画素配列を、撮像画素の４列×４行の範囲で（焦点検出画素の配列としては８列×４行の範囲）で示したものである。
【００１７】
本実施形態において、画素群２００は２列×２行の画素からなり、ベイヤー配列のカラーフィルタにより覆われているものとする。そして、画素群２００において、Ｒ（赤）の分光感度を有する画素２００Ｒが左上の位置に、Ｇ（緑）の分光感度を有する画素２００Ｇが右上と左下の位置に、Ｂ（青）の分光感度を有する画素２００Ｂが右下の位置に配置されている。さらに、本実施形態の撮像素子１１１は、撮像面位相差方式の焦点検出を行うために、各画素は、１つのマイクロレンズ２０１に対し、複数のフォトダイオード（光電変換部）を保持している。本実施形態では、各画素は、２列×１行に配列された２つのフォトダイオード２０２、２０３により構成されているものとする。
撮像素子１１１は、図２に示す２列×２行の画素（４列×２行のフォトダイオード）からなる画素群２００を撮像面上に多数配置することで、撮像信号及びフォーカス用信号の取得を可能としている。
【００１８】
このような構成を有する各画素では、光束をマイクロレンズ２０１で分離し、フォトダイオード２０２、２０３に結像する。そして、２つのフォトダイオード２０２、２０３からの信号を加算した信号（Ａ＋Ｂ信号）を撮像信号、個々のフォトダイオード２０２、２０３からそれぞれ読み出した２つの信号（Ａ、Ｂ像信号）をフォーカス用信号として用いる。なお、撮像信号とフォーカス用信号とをそれぞれ読み出してもよいが、処理負荷を考慮して、次のようにしてもよい。即ち、撮像信号（Ａ＋Ｂ信号）と、フォトダイオード２０２、２０３のいずれか一方のフォーカス用信号（例えばＡ信号）とを読み出し、差分を取ることで、もう一方のフォーカス用信号（例えばＢ信号）を取得するものであってもよい。
【００１９】
なお、本実施形態では各画素において、１つのマイクロレンズ２０１に対して２つのフォトダイオード２０２、２０３を有する構成としているが、フォトダイオードの数は２つに限定されず、それ以上であってもよい。また、マイクロレンズ２０１に対して受光部の開口位置が異なる画素を複数有するようにしてもよい。つまり、結果としてＡ像信号とＢ像信号といった位相差検出可能な位相差検出用の２つの信号が得られる構成であればよい。
また、図２では、全ての画素が複数のフォトダイオードを有する構成を示しているが、これに限るものではなく、撮像素子１１１を構成する通常画素内に、図２に示すような焦点検出用画素を離散的に設ける構成であってもよい。
【００２０】
＜フォーカスガイドの表示形態＞
次に、本実施形態におけるフォーカスガイド（ガイドアイテム、表示アイテム）の表示
形態について、図３（Ａ）〜図３（Ｄ）を用いて説明する。
本実施形態では、フォーカスガイドは、ライブビュー画像上にフォーカスガイドの表示要素のうち、フォーカス枠３０１が重畳表示された位置（枠内）に対応する撮像範囲から取得されたデフォーカス量に基づいた表示を行う。より詳しくは、フォーカスガイドは、次に示すデフォーカス量に基づいて、合焦度合いを示す。それは、撮像素子１１１に配置されたデフォーカス量を取得可能な画素（撮像面位相差検出の可能な画素）のうち、フォーカス枠３０１の位置に対応する範囲内の画素群からの出力値に基づいて算出されたデフォーカス量である。すなわち、フォーカスガイドは、ライブビュー画像上で重畳表示された位置の被写体についてフォーカスに関する情報を表示する。本実施形態では、フォーカスガイドの表示形態の種類は、第１〜第４の指標表示形態の４つとし、表示パーツ（表示要素）３０１〜３１１により、検出された焦点状態を表現する。表示パーツ３０１〜３１１は、フォーカス枠３００の上部に配置している。
図３（Ａ）は、第１の指標表示形態の一例で、被写体に合焦していると判定された状態を示す。
合焦と判定されている状態では、外側の表示パーツ３０１と内側の表示パーツ３０２の位置が一致（ここではフォーカス枠３００の上部で停止）している。また、合焦状態と判定されている場合は、例えば、表示パーツ３０１と表示パーツ３０２を他の表示形態の色（例えば白）と異なる色（例えば緑）で表してもよい。表示パーツ３０１は、後述する表示パーツ３０７と３０８が統合されて１つの表示パーツとして表現された表示パーツである。表示パーツ３０２は、後述する表示バーツ３０４と３０５が統合されて１つの表示パーツとして表現された表示パーツである。
【００２１】
図３（Ｂ）、図３（Ｃ）は、それぞれ第２の指標表示形態と第３の指標表示形態の一例を示す図であり、被写体に合焦していないが、焦点検出結果の信頼度が高い場合に、合焦位置までの方向とデフォーカス量の大きさを示している表示例である。
図３（Ｂ）には、被写体よりも至近側にピントが合っている（前ピン）場合の表示例を示す。この場合、外側の表示パーツ３０３がフォーカス枠３００の上部に停止した状態で、内側の表示パーツ３０４と表示パーツ３０５が、デフォーカス量の変化に伴って、フォーカス枠３００を取り囲む円周上に沿って左右対称に移動する。ここで、外側の表示パーツ３０３は内向きの三角形で図示され、内側の表示パーツ３０４と表示パーツ３０５は外向きの三角形で図示されている。表示パーツ３０４と表示パーツ３０５の位置は、デフォーカス量の大きさを示し、両者が表示パーツ３０３の位置（基準位置）から離れるほど、デフォーカス量が大きいことを示している。なお、表示パーツ３０３は表示パーツ３０１に対応し、表示パーツ３０４と表示パーツ３０５が重なった状態が表示パーツ３０２に対応する。
【００２２】
図３（Ｃ）には、被写体よりも無限遠側にピントが合っている（後ピン）場合を示す。この場合、内側の表示パーツ３０６がフォーカス枠３００の上部に停止した状態で、外側の表示パーツ３０７と表示パーツ３０８が、デフォーカス量の変化に伴って、フォーカス枠３００を取り囲む円周上に沿って左右対称に移動する。ここで、内側の表示パーツ３０６は外向きの三角形で図示され、外側の表示パーツ３０７と表示パーツ３０８は内向きの三角形で図示されている。表示パーツ３０７と表示パーツ３０８の位置はデフォーカス量の大きさを示し、両者が表示パーツ３０６の位置（基準位置）から離れるほど、デフォーカス量が大きいことを示している。なお、表示パーツ３０６は表示パーツ３０２に対応し、表示パーツ３０７と表示パーツ３０８が重なった状態が表示パーツ３０１に対応する。
以上説明したように、第２の指標表示形態と第３の指標表示形態では、移動する表示パーツの位置によってデフォーカス量の大きさを示すことができる。また、フォーカス枠３００の上部で停止している表示パーツの向きによって合焦位置までの方向（デフォーカス方向）を示すことができる。
【００２３】
図３（Ｄ）は、第４の指標表示形態の一例を示す図であり、焦点検出結果の信頼性が低い場合を示す図である。この場合は、デフォーカス量の大きさもデフォーカス方向も示さずに、焦点検出ができないことをユーザに視認させる。本実施形態では、各表示パーツ３０９〜３１１を他の表示形態と異なる色（例えばグレー）で表示すると共に、各表示パーツ３０９〜３１１を所定位置で固定する表示形態とした。また、各表示パーツ３０９〜３１１の形状を他の表示形態と異ならせている。なお、本実施形態では、フォーカスガイドの表示形態について、図３（Ａ）〜図３（Ｄ）を用いて説明したが、これに限るものではない。また、フォーカスガイドは、撮像素子１１１から得られる信号（撮像面位相差信号）に基づくデフォーカス量に基づく合焦度合いを表示するものとして説明したが、これに限るものではない。撮像面とは異なる場所に設定された焦点検出センサ（位相差センサ等）からの出力値に基づいて合焦度合いを示すものでもよいし、コントラスト値に基づいて合焦度合いを示すものでも良い。また、フォーカスガイドは、合焦してない場合に、合焦からどの程度焦点がずれているかを示すものである。
【００２４】
＜フォーカスガイドの表示処理＞
次に、カメラ制御部１１７が実行するフォーカスガイドの表示処理について説明する。
図４は、カメラ制御部１１７が実行するフォーカスガイドの表示処理の手順を示すフローチャートである。この処理は、不揮発性メモリ１２０に記録されたプログラムをシステムメモリ１２１に展開してカメラ制御部１１７が実行することで実現する。
【００２５】
ステップＳ４０１では、カメラ制御部１１７は、カメラ制御部１１７に含まれるシステムメモリ１２１に保持された測距位置（フォーカス枠３００が設定された位置）を読み出す。
ステップＳ４０２では、カメラ制御部１１７は、ステップＳ４０１で得られた測距位置に対応する被写体について、フォーカスに関する情報、例えば合焦情報および測距成否の情報をフォーカス信号処理部１１４から取得する。合焦情報は、合焦、前ピンまたは後ピンのいずれの状態にあるかという情報を含み、さらに、前ピンまたは後ピンの場合は、合焦点と被写体との間の距離情報（合焦度合いに関する情報）を含む。
ステップＳ４０３では、カメラ制御部１１７は、ステップＳ４０１とステップＳ４０２で得られた情報をもとに、表示部１１５によって表示する枠表示位置、指標角度および表示色を決定する。
【００２６】
ステップＳ４０４では、カメラ制御部１１７は、ステップＳ４０２で得られた情報について、測距が成功したか失敗したかを判定する。成功したと判定した場合はステップＳ４０５へ進み、失敗したと判定した場合は、ステップＳ４１０へ進む。
ステップＳ４０５では、カメラ制御部１１７は、ステップＳ４０２で得られた情報について、被写体が合焦状態にあるか非合焦状態にあるかを判定する。合焦状態にあると判定した場合はステップＳ４０７へ進み、非合焦状態にあると判定した場合はステップＳ４０６へ進む。
ステップＳ４０６では、カメラ制御部１１７は、ステップＳ４０２で得られた情報について、被写体が前ピン状態であるか後ピン状態であるかを判定する。前ピン状態であると判定した場合はステップＳ４０８へ進み、後ピン状態であると判定した場合はステップＳ４０９へ進む。
【００２７】
ステップＳ４０７では、カメラ制御部１１７は、第１の指標表示形態、すなわち被写体が合焦状態である場合の指標表示形態に対応するデータを選択する。この指標と枠のデータの表示例は上述の図３（Ａ）である。
ステップＳ４０８では、カメラ制御部１１７は、第２の指標表示形態、すなわち被写体が前ピン状態である場合の指標表示形態に対応するデータを選択する。この指標と枠のデータの表示例は上述の図３（Ｂ）である。
ステップＳ４０９では、カメラ制御部１１７は、第３の指標表示形態、すなわち被写体が後ピン状態である場合の指標表示形態に対応するデータを選択する。この指標と枠のデータの表示例は上述の図３（Ｃ）である。
ステップＳ４１０では、カメラ制御部１１７は、第４の指標表示形態、すなわち被写体が大ボケ状態である場合の指標表示形態に対応するデータを選択する。この指標と枠のデータの表示例は上述の図３（Ｄ）である。
【００２８】
ステップＳ４１１では、カメラ制御部１１７は、ステップＳ４０７からステップＳ４１０のいずれかで選択された指標と枠のデータを、次のようにして、映像（ライブビュー画像）と重畳し、表示部１１５上の表示位置へ表示する。すなわち、ステップＳ４０７からステップＳ４１０のいずれかで選択された指標と枠のデータを、ステップＳ４０３で決定した表示位置、指標角度、表示色で、映像（ライブビュー画像）と重畳し、表示部１１５上の表示位置へ表示する。
【００２９】
以下に、カメラ制御部１１７が実行する表示部１１５の表示制御について、実施例１、実施例２を用いて説明する。
本実施形態の表示制御では、オートフォーカス動作後、ライブビュー画像が表示されている状態で、フォーカスリング操作等によるマニュアルフォーカス調整が行われる場合に、表示部１１５の表示形態を、所定の機能の設定状態に対応する表示形態とする。なお、上述した実施形態と同様の構成、処理については、その説明を省略する。
＜実施例１＞
以下に、図５および図６（Ａ）〜図６（Ｃ）を用いて、実施例１について説明する。
本実施例では、オートフォーカス後、フォーカスリング操作によるマニュアルフォーカス調整が行われる場合に、フォーカスガイドの設定に応じて、拡大表示またはフォーカスガイド表示が行われる形態について説明する。ここで、拡大表示とは、第１の倍率（例えば通常倍率）で表示されているライブビュー画像を、第１の倍率よりも大きい第２の倍率で表示することをいう。
【００３０】
図５は、本実施例における撮影モード処理に関するフローチャートである。図６（Ａ）〜図６（Ｃ）は、本実施例のライブビュー画像が表示される表示部１１５の画面（表示形態）の一例を示す図である。
以下に、本実施例における撮影モード処理について説明する。この処理は、不揮発性メモリ１２０に記録されたプログラムをシステムメモリ１２１に展開してカメラ制御部１１７が実行することで実現する。ここで、撮影モード処理は、撮影を行うためのモードである。
【００３１】
ステップＳ５０１では、カメラ制御部１１７は、撮影モードを開始すると、撮像素子１１１でのライブビュー画像の撮像を行い、撮像されたライブビュー画像を表示部１１５に表示させる。
ステップＳ５０２では、カメラ制御部１１７は、フォーカスガイド設定の設定を変更する操作が実施されたか否かを判定する。設定項目一覧のメニュー画面を表示させ、ＡＦ＋ＭＦ時（ＡＦ後にシャッターボタン半押しのままＭＦ操作した場合）の表示設定として、「フォーカスガイド設定」という設定項目を選択することができる。メニュー画面を表示させる操作があり、（ＡＦ＋ＭＦ時の）「フォーカスガイド設定」の設定項目が選択されると、フォーカスガイド設定の設定変更操作が行われたと判定する。設定変更操作が実施されたと判定した場合はステップＳ５０３へ進み、そうでない場合はステップＳ５０４へ進む。
ステップＳ５０３では、カメラ制御部１１７は、「フォーカスガイド設定」の設定変更操作を受け付ける。フォーカスガイド設定では、ＡＦ＋ＭＦ時にフォーカスガイドを表示させる設定（ＯＮ）か、表示しない設定（ＯＦＦ）に設定することができる。設定された
内容は不揮発性メモリ１２０に記録される。
ステップＳ５０３で設定変更操作の受付が終了したら、ステップＳ５０４へ進む。
【００３２】
ステップＳ５０４では、カメラ制御部１１７は、ＳＷ１がオンとなったか（シャッターボタンの半押しがされたか）否かを判定する。ＳＷ１がオンとなったと判定した場合はステップＳ５０５へ進み、オートフォーカス処理を実行する。そうでない場合はステップＳ５２４へ進む。
ステップＳ５０６では、カメラ制御部１１７は、ステップＳ５０５でのオートフォーカス処理によって、合焦したか否かを判定する。合焦したと判定した場合はステップＳ５０７へ進み、ライブビュー画面上に合焦表示（合焦枠の表示）を行う。そうでない場合はステップＳ５０８へ進み、ライブビュー画面上に非合焦表示（非合焦枠の表示）を行う。ステップＳ５０７またはステップＳ５０８で表示を行った後は、ステップＳ５０９へ進む。
ステップＳ５０７でライブビュー画像上に合焦表示を行ったときの表示部１１５の画面の一例を、図６（Ａ）に示している。図６（Ａ）では、通常倍率（ライブビュー画像の全体が表示範囲に収まる倍率）でライブビュー画像６００が表示されている。そして、オートフォーカスの結果、左右中央の男性の顔に合焦したため、合焦したことを示す緑色の合焦枠６０１が表示されている。合焦しなかった場合は白色の枠（非合焦枠）が表示される。
【００３３】
ステップＳ５０９では、カメラ制御部１１７は、ステップＳ５０５でのオートフォーカス処理の実行後、フォーカスリングが操作されたか否か（ＭＦ操作がされたか否か）を判定する。フォーカスリングが操作されたと判定した場合はステップＳ５１２へ進み、そうでない場合はステップＳ５１０へ進む。
ステップＳ５１０では、カメラ制御部１１７は、ＳＷ２がオンとなったか否か（シャッターボタンの全押しがなされたか否か）を判定する。ＳＷ２がオンでないと判定した場合はステップＳ５１１へ進み、ＳＷ２がオンとなったと判定するとＳ５２０へ進む。
Ｓ５１１では、カメラ制御部１１７は、ＳＷ１のオンが保持されているか（シャッターボタンの半押しが維持されているか）否かを判定する。ＳＷ１のオンが保持されていないと判定した場合はＳ５２３へ進み、合焦枠または非合焦枠を非表示として通常の撮影待機状態（ライブビュー画面）に戻る。ＳＷ１のオンが保持されている場合はＳ５０９に戻って処理を繰り返す。
【００３４】
Ｓ５１２では、カメラ制御部１１７は、Ｓ５０９で判定したＭＦ操作の操作量に応じてフォーカス駆動を行う。すなわち、フォーカスリングから受信したパルス信号に基づいてレンズ制御部１０６にフォーカスレンズの駆動制御信号を送信する。レンズ制御部１０６は、カメラ制御部１１７から受信した信号に応じて、フォーカスレンズ駆動部１０５の制御を行い、フォーカス位置を至近側または望遠側に移動する。また、フォーカスレンズを駆動すると、レンズ制御部１０６は、カメラ制御部１１７にフォーカスレンズの位置を示す情報をカメラ制御部１１７に送信する。なお、フォーカスレンズの駆動は、カメラ制御部１１７からの指示によるものではなく、フォーカスリングの操作に応じてレンズ制御部１０６が直接行うものとしても良い。
Ｓ５１３では、カメラ制御部１１７は、不揮発性メモリ１２０に記録された設定情報を参照し、フォーカスガイド設定のＯＮ、ＯＦＦを判定する。フォーカスガイド設定がＯＮと判定した場合はステップＳ５１４へ進み、フォーカスガイド設定がＯＦＦと判定した場合はステップＳ５１５へ進む。
【００３５】
ステップＳ５１４は、フォーカスガイド設定がＯＮの場合で、このステップでは、カメラ制御部１１７は、ライブビュー画像の拡大をしないで、フォーカスガイド表示を行う。これにより、オートフォーカス時の画角を維持した状態で、フォーカスガイドを表示することができ、マニュアルフォーカス調整をアシストすることが可能となる。
図６（Ｂ）に、ステップＳ５１４における表示部１１５での表示例を示す。このときのライブビュー画面は、ステップＳ５０７で合焦表示を行った図６（Ａ）に示す画面から、フォーカスリングが操作される（ＭＦ操作される）ことで遷移した画面である。通常倍率のライブビュー画像６００に重畳して、フォーカスガイド６０２が重畳表示されている。ＭＦ操作前に表示されていたＡＦ結果を示す合焦枠または非合焦枠（図６（Ａ）の例では左右中央の男性の顔に重畳された合焦枠６０１）が、ＭＦ操作をすることによってフォーカスガイド６０２に置き変わる。
【００３６】
ステップＳ５１５は、フォーカスガイド設定がＯＦＦの場合で、このステップでは、カメラ制御部１１７は、ライブビュー画像の拡大をして、フォーカスガイド表示を行わない。ライブビュー画像の拡大では、ＡＦを行った際の焦点調整位置、すなわち、合焦枠または非合焦枠の位置を中心とした、撮影範囲全体のうち一部の範囲が拡大される。このように、ライブビュー画像を拡大することで、ユーザが目視でマニュアルフォーカス調整を行うことができる状態とすることが可能となる。図６（Ｃ）に、この場合の表示部１１５における表示例を示す。このときのライブビュー画面は、ステップＳ５０７で合焦表示を行った図６（Ａ）に示す画面から、フォーカスリングが操作されることで遷移した画面である。拡大されたライブビュー画像６１０が表示され、フォーカスガイド６０２は表示されていない。従って拡大されたライブビュー画像６１０を見て（図示の例では男性の顔を見て）、希望通りのピント具合となっているかを詳細に確認しながらＭＦ操作することができる。
【００３７】
ステップＳ５１６では、カメラ制御部１１７は、ＳＷ２がオンとなったか（シャッターボタンの全押しが行われたか）否かを判定する。ＳＷ２がオンとなっていない場合はＳ５１７に進み、ＳＷ２がオンとなった場合はＳ５２０へ進む。
Ｓ５１７では、カメラ制御部１１７は、ＳＷ１のオンが保持されているか（シャッターボタンの半押しが維持されているか）否かを判定する。ＳＷ１のオンが保持されていると判定した場合はＳ５１８へ進み、そうでない場合（ＳＷ１がオフとなった場合）は、Ｓ５２３に進む。Ｓ５２３に進む場合は、フォーカスガイドの表示やライブビュー画像の拡大は解除され、通常倍率のライブビュー画像が表示される。
Ｓ５１８では、カメラ制御部１１７は、Ｓ５０９と同様、ＭＦ操作がされたか否かを判定する。ＭＦ操作がされた場合はＳ５１９に進み、そうでない場合はＳ５１６に進む。
Ｓ５１９では、カメラ制御部１１７は、Ｓ５１２と同様にフォーカス駆動を行う。Ｓ５１２と同様、カメラ制御部１１７の制御によるものではなく、レンズ側で直接制御する処理でもよい。
【００３８】
Ｓ５２０では、カメラ制御部１１７は、本撮影（ライブビュー撮影ではなく、画像ファイルとなる画像を取得するための撮影）を行う。すなわち、設定されたシャッター速度に基づく露光時間の露光を行い、画像ファイルを生成する。
Ｓ５２１では、カメラ制御部１１７は、Ｓ５２０で生成した画像ファイルを、記録部１１６に記録する。
Ｓ５２２では、カメラ制御部１１７は、Ｓ５２０で撮影された画像を表示部１１５に所定時間レビュー表示（確認表示、レックレビュー、クイックレビュー）する。レビュー表示を行わない設定となっていた場合はＳ５２２の処理はスキップする。
Ｓ５２３では、カメラ制御部１１７は、表示部１１５に通常倍率でのライブビュー画像を表示する。通常倍率のライブビュー画像と共に、現在設定されている撮影モード、電池残量、記録画質設定（画像サイズ、圧縮率）、各種撮影設定（ストロボ設定内容、シャッター速度、絞り値、露出補正、ＩＳＯ感度など）が表示される。この処理はＳ５０１の処理と同様である。
ステップＳ５２４では、カメラ制御部１１７は、ライブビュー表示の終了操作を実施したか否かを判定する。終了操作を実施したと判定した場合はライブビュー画像の画面表示
を終了する。そうでない場合はステップＳ５０２へ戻り、ライブビュー表示を継続させる。
【００３９】
なお、図５の例は、フォーカスの設定がＡＦモードに設定されている場合の例であり、ＡＦが行われる前、すなわち、ＳＷ１がオフとなっている状態でフォーカスリングが操作されても、フォーカス駆動は行わないものとする。この場合、フォーカスリングの操作は無視するか、ＭＦ調整以外の他の機能を実行する（例えば、絞り値やシャッター速度などの撮影設定を変更する）。ＭＦモード（ＡＦを行わないモード）に設定されている場合には、（ＡＦ＋ＭＦ時の）フォーカスガイド設定の設定内容に関わらず、ＭＦ操作前から常時フォーカスガイドを表示できるものとする。
【００４０】
以上説明したように、本実施例では、オートフォーカス後、フォーカスリング操作によるマニュアルフォーカス調整が行われる場合に、フォーカスガイドの設定に応じて、拡大表示またはフォーカスガイド表示が行われる。このとき、予め設定されたフォーカスガイド設定がＯＮであれば、ライブビュー画像を拡大表示せずに、フォーカスガイドを表示することができるようになる。一方、フォーカスガイド設定が、ＯＦＦであれば、ライブビュー画像が拡大される。
このようにして、ユーザが予め設定した内容に応じて選択的にマニュアルフォーカス調整（ＭＦ操作）をアシストすることができる。フォーカスガイド設定がＯＮであれば、ユーザは、拡大表示されないライブビュー画像の構図全体を確認しながらマニュアルフォーカス調整を行うことができる。フォーカスガイド設定がＯＦＦであれば、ユーザは拡大されたライブビュー画像を見ながら、ＡＦした位置周辺のピントの具合を画像で確認してＭＦ操作することができる。ユーザはどちらの方法でＡＦ後のＭＦ操作を行いたいかを、予め設定したフォーカスガイド設定によって使い分けることができる。したがって、ユーザの利便性を向上させることができる。
【００４１】
ここで、本実施例では、オートフォーカス後、ＭＦ操作が行われる場合に、フォーカスガイドの設定に応じて、拡大表示またはフォーカスガイド表示が行われるものであったが、これに限るものではない。例えば、オートフォーカス後、ＭＦ操作が行われる場合に、拡大表示の設定に応じて、拡大表示またはフォーカスガイド表示が行われる形態としてもよい。この場合の、ＭＦ操作時における表示部１１５の表示形態と、ライブビュー画像を拡大表示する拡大表示設定にするか、しないかとの関係について説明する。ＭＦ操作時に、ライブビュー画像を拡大せずにフォーカスガイドを表示する場合は、ライブビュー画像を拡大表示する拡大表示設定にしない。また、ライブビュー画像を拡大してフォーカスガイドを表示しない場合は、拡大表示設定にする。すなわち、メニュー画面に含まれるＡＦ＋ＭＦ時の表示設定として、「ライブビュー拡大」（以下、単に拡大表示の設定と称する場合がある）を「する」または「しない」に設定することができる。「する」に設定してあった場合には、ＡＦ後のＭＦ操作に応じて、ライブビュー拡大を行い、フォーカスガイドは表示しない（図６（Ｃ）の表示となる）。「しない」に設定してあった場合には、ＡＦ後のＭＦ操作に応じて、フォーカスガイドの表示を行い、ライブビュー拡大をしない（図６（Ｂ）の表示となる）。
【００４２】
＜実施例２＞
以下、図７および図８（Ａ）〜図８（Ｄ）を用いて、実施例２について説明する。
本実施例では、オートフォーカス後、ＭＦ操作が行われる場合に、フォーカスガイドの設定および拡大表示の設定に応じて、拡大表示またはフォーカスガイド表示が行われる形態について説明する。
図７は、本実施例における撮影モード処理に関するフローチャートである。図８（Ａ）〜図８（Ｄ）は、本実施例におけるライブビュー画像が表示される表示部１１５の画面の一例を示す図である。
【００４３】
以下に、本実施例における撮影モード処理について説明する。この処理は、不揮発性メモリ１２０に記録されたプログラムをシステムメモリ１２１に展開してカメラ制御部１１７が実行することで実現する。
なお、図７に示すステップＳ７０１の処理は、図５で前述したステップＳ５０１と同様の処理である。
ステップＳ７０２では、カメラ制御部１１７は、フォーカスガイド設定の設定を変更する操作、または、拡大表示の設定を変更する操作が実施されたか否かを判定する。設定項目一覧のメニュー画面を表示させ、ＡＦ＋ＭＦ時の表示設定としての「フォーカスガイド設定」の設定項目、または「ライブビュー拡大」の設定項目が選択されると、設定変更操作が行われたと判定する。設定変更操作が実施されたと判定した場合はステップＳ７０３へ進み、そうでない場合はステップＳ７０４へ進む。
ステップＳ７０３では、カメラ制御部１１７は、「フォーカスガイド設定」または「ライブビュー拡大」の設定変更操作を受け付ける。設定された内容は不揮発性メモリ１２０に記録される。
ステップＳ７０４〜ステップＳ７１２の処理は、図５で前述したＳ５０４〜Ｓ５１２と同様の処理なので説明を省略する。なお、Ｓ７０７でライブビュー画像上に合焦表示を行ったときの表示部１１５の表示例を図８（Ａ）に示す。このときのライブビュー画面には、ライブビュー画像８００に重畳して、合焦枠８０１が表示される。
【００４４】
Ｓ７１３では、カメラ制御部１１７は、不揮発性メモリ１２０に記録された設定情報を参照し、「ライブビュー拡大」の設定項目の設定が、「する」か否かを判定する。「する」（ライブビュー画像の拡大表示をする設定）に設定されていると判定した場合はステップＳ７１４へ進み、そうでない場合はステップＳ７１５へ進む。
ステップＳ７１４は、ライブビュー画像の拡大表示設定が「する」の場合で、このステップでは、カメラ制御部１１７は、フォーカスガイド設定に依存せずライブビュー画像を拡大して、フォーカスガイド表示をしない。ライブビュー画像の拡大では、ＡＦを行った際の焦点調整位置、すなわち、合焦枠または非合焦枠の位置を中心とした、撮影範囲全体のうち一部の範囲が拡大される。これにより、画像を拡大することでユーザが目視でマニュアルフォーカス調整を行うことが可能な状態となる。
図８（Ｄ）に、ステップＳ７１４において、ライブビュー画像を拡大して、フォーカスガイド表示をしない場合に、表示部１１５に表示される表示例を示す。このときのライブビュー画面は、ステップＳ７０７で合焦表示を行った図８（Ａ）に示す画面から、フォーカスリングが操作されることで遷移した画面であり、拡大されたライブビュー画像８１０が表示される。
Ｓ７１５では、カメラ制御部１１７は、不揮発性メモリ１２０に記録された設定情報を参照し、「フォーカスガイド設定」の設定項目の設定が、「ＯＮ」か否かを判定する。「ＯＮ」（フォーカスガイドを表示する設定）に設定されていると判定した場合はステップＳ７１６へ進み、そうでない場合はステップＳ７１７へ進む。
【００４５】
ステップＳ７１６は、ライブビュー画像の拡大表示設定が「しない」に設定され、フォーカスガイド設定がＯＮの場合で、このステップでは、カメラ制御部１１７は、ライブビュー画像の拡大をしないで、フォーカスガイド表示をする。これにより、オートフォーカス時の画角を維持した状態で、フォーカスガイドを表示することができ、マニュアルフォーカス調整をアシストすることが可能となる。
図８（Ｂ）に、ステップＳ７１６において表示部１１５に表示される表示例を示す。このときのライブビュー画面は、ステップＳ７０７で合焦表示を行った図８（Ａ）に示す画面から、フォーカスリングが操作されることで遷移した画面である。通常倍率のライブビュー画像８００に重畳して、フォーカスガイド８０２が重畳表示されている。ＭＦ操作前に表示されていたＡＦ結果を示す合焦枠または非合焦枠（図８（Ａ）の例では左右中央の
男性の顔に重畳された合焦枠８０１）が、ＭＦ操作をすることによってフォーカスガイド８０２に置き変わる。
【００４６】
ステップＳ７１７は、ライブビュー画像の拡大表示設定が「しない」に設定され、フォーカスガイド設定がＯＦＦの場合で、このステップでは、カメラ制御部１１７は、ライブビュー画像の拡大表示、フォーカスガイド表示を両方ともしない。これにより、オートフォーカス時の画角を維持した状態で、ユーザが目視でマニュアルフォーカス調整を行うことが可能な状態となる。
図８（Ｃ）に、ステップＳ７１７において、表示部１１５に表示される表示例を示す。このときのライブビュー画面は、ステップＳ７０７で合焦表示を行った図８（Ａ）に示す画面から、フォーカスリングが操作されることで遷移した画面である。通常倍率のライブビュー画像８００が表示され、合焦枠８０１、フォーカスガイド８０２ともに表示されない。すなわち、図８（Ａ）で表示されていた合焦枠８０１は、ＭＦ操作に応じて非表示となる（ＭＦ操作によってフォーカス駆動されるため、合焦した状態とは限らなくなるため）。
ステップＳ７１８〜Ｓ７２６の処理は、前述した図５のステップＳ５１６〜Ｓ５２４と同様の処理であるため、説明を省略する。
【００４７】
以上説明したように、本実施例においても、上述した実施例１同様、マニュアルフォーカス調整をアシストすることができる。これにより、ユーザは、拡大表示されないライブビュー画像の構図全体を確認しながらＭＦ操作を行うか、拡大されたライブビューを見確認しながらＭＦ操作を行うかを、目的に合わせて使い分けることができる。したがって、ユーザの利便性を向上させることができる。
【００４８】
ここで、上述の各実施形態では、ライブビュー画像の拡大表示中は、フォーカスガイド表示をしないと説明したが、これに限るものではなく、ライブビュー画像の拡大表示中においても、フォーカスガイド表示を行うものであってもよい。また、ライブビュー画像の拡大表示をせず、フォーカスガイド表示をしている状態（図６（Ｂ）または図８（Ｂ））から、特定の１回の操作に応じてライブビュー画像の拡大表示（図６（Ｃ）または図８（Ｃ）に遷移してもよい。
また、本実施形態では、オートフォーカス後、フォーカスリング操作によるマニュアルフォーカス調整が行われる場合に、表示部１１５の表示形態を、所定の機能の設定状態に対応する表示形態とする表示制御について説明した。しかしながら、オートフォーカス後に限るものではなく、フォーカスリング操作によるマニュアルフォーカス調整が行われる場合に、表示部１１５の表示形態を、所定の機能の設定状態に対応する表示形態とするものであってもよい。
【００４９】
また、カメラ制御部１１７が行うものとして説明した上述の各種制御は１つのハードウェアが行ってもよいし、複数のハードウェア（例えば、複数のプロセッサーや回路）が処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施例は本発明の一実施形態を示すものにすぎず、各実施例を適宜組み合わせることも可能である。
また、上述した実施形態においては、本発明を撮像システムに適用した場合を例にして説明したが、これはこの例に限定されず、フォーカスに関する表示アイテムを表示でき、かつ、画像を拡大表示できる表示制御装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００５０】
また、撮像装置本体に限らず、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できる。
【００５１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５２】
１１１…撮像素子、１１５…表示部、１１７…カメラ制御部
【図１】
2019138969.tif 000003
【図２】
2019138969.tif 000004
【図３】
2019138969.tif 000005
【図４】
2019138969.tif 000006
【図５】
2019138969.tif 000007
【図６】
2019138969.tif 000008
【図７】
2019138969.tif 000009
【図８】
2019138969.tif 000010